(57)【要約】【課題】様々なユースケースに対応した複数形態の通信を効率的に運用することが可能な仕組みを提供する。【解決手段】互いに異なる通信サービスを提供するひとつ以上の論理ネットワークを提供可能な通信システムとの通信を制御する通信制御部と、前記通信システムが提供可能な前記論理ネットワークに関する情報を取得する取得部と、前記論理ネットワークに関する情報に基づいて接続する前記通信システムを選択する選択部と、を備える端末装置。【選択図】図１
2018142818.tif 000002
【特許請求の範囲】
【請求項１】
互いに異なる通信サービスを提供するひとつ以上の論理ネットワークを提供可能な通信システムとの通信を制御する通信制御部と、
前記通信システムが提供可能な前記論理ネットワークに関する情報を取得する取得部と、
前記論理ネットワークに関する情報に基づいて接続する前記通信システムを選択する選択部と、
を備える端末装置。
【請求項２】
前記論理ネットワークに関する情報は、提供可能な前記論理ネットワーク又は提供不可能な前記論理ネットワークの種類を示す情報を含む、請求項１に記載の端末装置。
【請求項３】
前記論理ネットワークに関する情報は、前記論理ネットワークの負荷状態を示す情報を含む、請求項１に記載の端末装置。
【請求項４】
前記論理ネットワークに関する情報は、前記論理ネットワークの使用単価を示す情報を含む、請求項１に記載の端末装置。
【請求項５】
前記論理ネットワークに関する情報は、前記論理ネットワークが提供される確率を示す情報を含む、請求項１に記載の端末装置。
【請求項６】
前記取得部は、前記論理ネットワークに関する情報のリクエストを前記通信システムに送信する、請求項１に記載の端末装置。
【請求項７】
提供可能な互いに異なる通信サービスを提供するひとつ以上の論理ネットワークから選択された前記論理ネットワークの提供を受ける端末装置との通信を制御する通信制御部と、
前記端末装置において接続先を選択するために用いられる、提供可能な前記論理ネットワークに関する情報を、前記端末装置に通知する通知部と、
を備える基地局。
【請求項８】
前記通知部は、前記論理ネットワークに関する情報を、システム情報を用いて通知する、請求項７に記載の基地局。
【請求項９】
前記通知部は、前記端末装置からのリクエストに応じて、前記論理ネットワークに関する情報を通知する、請求項７に記載の基地局。
【請求項１０】
前記通知部は、前記基地局が接続するコアネットワークが提供可能な論理ネットワークに関する情報を前記端末装置に通知する、請求項７に記載の基地局。
【請求項１１】
前記通知部は、前記基地局が提供可能な前記論理ネットワークと前記コアネットワークが提供可能な前記論理ネットワークとの組み合わせが可能か否かを示す情報を前記端末装置に通知する、請求項１０に記載の基地局。
【請求項１２】
提供可能な互いに異なる通信サービスを提供するひとつ以上の論理ネットワークから選択された前記論理ネットワークの提供を受ける端末装置の通信を制御する通信制御部と、
前記端末装置において接続先を選択するために用いられる、提供可能な前記論理ネットワークに関する情報を、基地局を介して前記端末装置に通知する通知部と、
を備える制御装置。
【請求項１３】
提供可能な互いに異なる通信サービスを提供するひとつ以上の論理ネットワークから選択された前記論理ネットワークの提供を受ける端末装置との通信を制御する通信制御部を備え、
前記通信制御部は、前記端末装置がアイドルモードである場合に前記端末装置に対応する前記論理ネットワークを用いて前記端末装置にページングメッセージを送信する、基地局。
【請求項１４】
前記端末装置に対応する前記論理ネットワークは、事前に登録される、請求項１３に記載の基地局。
【請求項１５】
前記端末装置に対応する前記論理ネットワークは、前記端末装置がＲＲＣ（Radio  Resource  Control）アイドル状態に遷移する際に、前記端末装置により設定される、請求項１３に記載の基地局。
【請求項１６】
前記端末装置に対応する前記論理ネットワークは、前記端末装置がＲＲＣアイドル状態に遷移する前に接続していた前記論理ネットワークである、請求項１３に記載の基地局。
【請求項１７】
前記端末装置に対応する前記論理ネットワークは、発呼元から指定された前記論理ネットワークである、請求項１３に記載の基地局。
【請求項１８】
前記基地局は、提供可能な前記論理ネットワークに関する情報を、コアネットワークに通知する通知部をさらに備える、請求項１３に記載の基地局。
【請求項１９】
提供可能な互いに異なる通信サービスを提供するひとつ以上の論理ネットワークから選択された前記論理ネットワークの提供を受ける端末装置の通信を制御する通信制御部を備え、
前記通信制御部は、前記端末装置がアイドルモードである場合に、前記端末装置に対応する前記論理ネットワークを提供可能な基地局を、ページングメッセージを送信させる基地局として選択する、制御装置。
【請求項２０】
前記通信制御部は、前記端末装置への着呼に関し、ページングメッセージの送信に用いる前記論理ネットワークを発呼元から指定された場合に、前記着呼を受理可能か否かを判断する、請求項１９に記載の制御装置。
【請求項２１】
互いに異なる通信サービスを提供するひとつ以上の論理ネットワークを提供可能な通信システムとの通信をプロセッサにより制御することと、
前記通信システムが提供可能な前記論理ネットワークに関する情報を取得することと、
前記論理ネットワークに関する情報に基づいて接続する前記通信システムを選択することと、
を含む方法。
【請求項２２】
コンピュータを、
互いに異なる通信サービスを提供するひとつ以上の論理ネットワークを提供可能な通信システムとの通信を制御する通信制御部と、
前記通信システムが提供可能な前記論理ネットワークに関する情報を取得する取得部と、
前記論理ネットワークに関する情報に基づいて接続する前記通信システムを選択する選択部と、
として機能させるためのプログラムを記録した記録媒体。
【請求項２３】
提供可能な互いに異なる通信サービスを提供するひとつ以上の論理ネットワークから選択された前記論理ネットワークの提供を受ける端末装置との通信をプロセッサにより制御することと、
前記端末装置において接続先を選択するために用いられる、提供可能な前記論理ネットワークに関する情報を、前記端末装置に通知することと、
を含む方法。
【請求項２４】
コンピュータを、
提供可能な互いに異なる通信サービスを提供するひとつ以上の論理ネットワークから選択された前記論理ネットワークの提供を受ける端末装置との通信を制御する通信制御部と、
前記端末装置において接続先を選択するために用いられる、提供可能な前記論理ネットワークに関する情報を、前記端末装置に通知する通知部と、
として機能させるためのプログラムを記録した記録媒体。
【請求項２５】
提供可能な互いに異なる通信サービスを提供するひとつ以上の論理ネットワークから選択された前記論理ネットワークの提供を受ける端末装置の通信をプロセッサにより制御することと、
前記端末装置において接続先を選択するために用いられる、提供可能な前記論理ネットワークに関する情報を、基地局を介して前記端末装置に通知することと、
を含む方法。
【請求項２６】
コンピュータを、
提供可能な互いに異なる通信サービスを提供するひとつ以上の論理ネットワークから選択された前記論理ネットワークの提供を受ける端末装置の通信を制御する通信制御部と、
前記端末装置において接続先を選択するために用いられる、提供可能な前記論理ネットワークに関する情報を、基地局を介して前記端末装置に通知する通知部と、
として機能させるためのプログラムを記録した記録媒体。
【請求項２７】
提供可能な互いに異なる通信サービスを提供するひとつ以上の論理ネットワークから選択された前記論理ネットワークの提供を受ける端末装置との通信をプロセッサにより制御することと、
前記端末装置がアイドルモードである場合に前記端末装置に対応する前記論理ネットワークを用いて前記端末装置にページングメッセージを送信することと、
を含む方法。
【請求項２８】
コンピュータを、
提供可能な互いに異なる通信サービスを提供するひとつ以上の論理ネットワークから選択された前記論理ネットワークの提供を受ける端末装置との通信を制御する通信制御部として機能させ、
前記通信制御部は、前記端末装置がアイドルモードである場合に前記端末装置に対応する前記論理ネットワークを用いて前記端末装置にページングメッセージを送信する、プログラムを記録した記録媒体。
【請求項２９】
提供可能な互いに異なる通信サービスを提供するひとつ以上の論理ネットワークから選択された前記論理ネットワークの提供を受ける端末装置の通信をプロセッサにより制御することと、
前記端末装置がアイドルモードである場合に、前記端末装置に対応する前記論理ネットワークを提供可能な基地局を、ページングメッセージを送信させる基地局として選択することと、
を含む方法。
【請求項３０】
コンピュータを、
提供可能な互いに異なる通信サービスを提供するひとつ以上の論理ネットワークから選択された前記論理ネットワークの提供を受ける端末装置の通信を制御する通信制御部として機能させ、
前記通信制御部は、前記端末装置がアイドルモードである場合に、前記端末装置に対応する前記論理ネットワークを提供可能な基地局を、ページングメッセージを送信させる基地局として選択する、プログラムを記録した記録媒体。
【発明の詳細な説明】
【技術分野】
【０００１】
本開示は、端末装置、基地局、制御装置、方法及び記録媒体に関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「５Ｇ（第５世代）」「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はｅＮｏｄｅＢ（evolved  NodeB）、端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。
【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。
【０００４】
例えば、ＮＲでは、様々なユースケースに対応した複数形態の通信をひとつのネットワークで収容するためのスライシング技術が検討されている。スライシング技術によれば、スライスと呼ばれる論理ネットワークをひとつの物理ネットワークにおいて共存させることが可能である。スライシング技術に関しては、例えば非特許文献１では、端末装置が、デフォルトで接続するよう設定された共通スライスを用いて基地局と接続すると、ネットワーク側でどのスライスを用いて端末装置と通信すべきかが判断される技術が開示されている。
【先行技術文献】
【非特許文献】
【０００５】
【非特許文献１】ZTE  Corporation，“Network  Slice  Selection  Procedure”，R3-161107，3GPP  TSG  RAN  WG3  Meeting  #92，  23th−27th  May  2016，Nanjing，China
【発明の概要】
【発明が解決しようとする課題】
【０００６】
しかし、上記非特許文献１に記載された技術では、少なくとも共通スライスが設定されること、及び一旦は共通スライスを用いた通信を行うことが要される等、非効率的であった。
【０００７】
そこで、本開示では、様々なユースケースに対応した複数形態の通信を効率的に運用することが可能な仕組みを提供する。
【課題を解決するための手段】
【０００８】
本開示によれば、互いに異なる通信サービスを提供するひとつ以上の論理ネットワークを提供可能な通信システムとの通信を制御する通信制御部と、前記通信システムが提供可能な前記論理ネットワークに関する情報を取得する取得部と、前記論理ネットワークに関する情報に基づいて接続する前記通信システムを選択する選択部と、を備える端末装置が提供される。
【０００９】
また、本開示によれば、提供可能な互いに異なる通信サービスを提供するひとつ以上の論理ネットワークから選択された前記論理ネットワークの提供を受ける端末装置との通信を制御する通信制御部と、前記端末装置において接続先を選択するために用いられる、提供可能な前記論理ネットワークに関する情報を、前記端末装置に通知する通知部と、を備える基地局が提供される。
【００１０】
また、本開示によれば、提供可能な互いに異なる通信サービスを提供するひとつ以上の論理ネットワークから選択された前記論理ネットワークの提供を受ける端末装置の通信を制御する通信制御部と、前記端末装置において接続先を選択するために用いられる、提供可能な前記論理ネットワークに関する情報を、基地局を介して前記端末装置に通知する通知部と、を備える制御装置が提供される。
【００１１】
また、本開示によれば、提供可能な互いに異なる通信サービスを提供するひとつ以上の論理ネットワークから選択された前記論理ネットワークの提供を受ける端末装置との通信を制御する通信制御部を備え、前記通信制御部は、前記端末装置がアイドルモードである場合に前記端末装置に対応する前記論理ネットワークを用いて前記端末装置にページングメッセージを送信する、基地局が提供される。
【００１２】
また、本開示によれば、提供可能な互いに異なる通信サービスを提供するひとつ以上の論理ネットワークから選択された前記論理ネットワークの提供を受ける端末装置の通信を制御する通信制御部を備え、前記通信制御部は、前記端末装置がアイドルモードである場合に、前記端末装置に対応する前記論理ネットワークを提供可能な基地局を、ページングメッセージを送信させる基地局として選択する、制御装置が提供される。
【００１３】
また、本開示によれば、互いに異なる通信サービスを提供するひとつ以上の論理ネットワークを提供可能な通信システムとの通信をプロセッサにより制御することと、前記通信システムが提供可能な前記論理ネットワークに関する情報を取得することと、前記論理ネットワークに関する情報に基づいて接続する前記通信システムを選択することと、を含む方法が提供される。
【００１４】
また、本開示によれば、コンピュータを、互いに異なる通信サービスを提供するひとつ以上の論理ネットワークを提供可能な通信システムとの通信を制御する通信制御部と、前記通信システムが提供可能な前記論理ネットワークに関する情報を取得する取得部と、前記論理ネットワークに関する情報に基づいて接続する前記通信システムを選択する選択部と、として機能させるためのプログラムを記録した記録媒体が提供される。
【００１５】
また、本開示によれば、提供可能な互いに異なる通信サービスを提供するひとつ以上の論理ネットワークから選択された前記論理ネットワークの提供を受ける端末装置との通信をプロセッサにより制御することと、前記端末装置において接続先を選択するために用いられる、提供可能な前記論理ネットワークに関する情報を、前記端末装置に通知することと、を含む方法が提供される。
【００１６】
また、本開示によれば、コンピュータを、提供可能な互いに異なる通信サービスを提供するひとつ以上の論理ネットワークから選択された前記論理ネットワークの提供を受ける端末装置との通信を制御する通信制御部と、前記端末装置において接続先を選択するために用いられる、提供可能な前記論理ネットワークに関する情報を、前記端末装置に通知する通知部と、として機能させるためのプログラムを記録した記録媒体が提供される。
【００１７】
また、本開示によれば、提供可能な互いに異なる通信サービスを提供するひとつ以上の論理ネットワークから選択された前記論理ネットワークの提供を受ける端末装置の通信をプロセッサにより制御することと、前記端末装置において接続先を選択するために用いられる、提供可能な前記論理ネットワークに関する情報を、基地局を介して前記端末装置に通知することと、を含む方法が提供される。
【００１８】
また、本開示によれば、コンピュータを、
提供可能な互いに異なる通信サービスを提供するひとつ以上の論理ネットワークから選択された前記論理ネットワークの提供を受ける端末装置の通信を制御する通信制御部と、前記端末装置において接続先を選択するために用いられる、提供可能な前記論理ネットワークに関する情報を、基地局を介して前記端末装置に通知する通知部と、として機能させるためのプログラムを記録した記録媒体が提供される。
【００１９】
また、本開示によれば、提供可能な互いに異なる通信サービスを提供するひとつ以上の論理ネットワークから選択された前記論理ネットワークの提供を受ける端末装置との通信をプロセッサにより制御することと、前記端末装置がアイドルモードである場合に前記端末装置に対応する前記論理ネットワークを用いて前記端末装置にページングメッセージを送信することと、を含む方法が提供される。
【００２０】
また、本開示によれば、コンピュータを、提供可能な互いに異なる通信サービスを提供するひとつ以上の論理ネットワークから選択された前記論理ネットワークの提供を受ける端末装置との通信を制御する通信制御部として機能させ、前記通信制御部は、前記端末装置がアイドルモードである場合に前記端末装置に対応する前記論理ネットワークを用いて前記端末装置にページングメッセージを送信する、プログラムを記録した記録媒体が提供される。
【００２１】
また、本開示によれば、提供可能な互いに異なる通信サービスを提供するひとつ以上の論理ネットワークから選択された前記論理ネットワークの提供を受ける端末装置の通信をプロセッサにより制御することと、前記端末装置がアイドルモードである場合に、前記端末装置に対応する前記論理ネットワークを提供可能な基地局を、ページングメッセージを送信させる基地局として選択することと、を含む方法が提供される。
【００２２】
また、本開示によれば、コンピュータを、提供可能な互いに異なる通信サービスを提供するひとつ以上の論理ネットワークから選択された前記論理ネットワークの提供を受ける端末装置の通信を制御する通信制御部として機能させ、前記通信制御部は、前記端末装置がアイドルモードである場合に、前記端末装置に対応する前記論理ネットワークを提供可能な基地局を、ページングメッセージを送信させる基地局として選択する、プログラムを記録した記録媒体が提供される。
【００２３】
本開示によれば、端末装置は、接続先候補の通信システムが提供可能な論理ネットワークに関する情報を取得して、取得した情報に基づいて接続先の通信システムを選択する。よって、端末装置は、通信システムに接続するよりも前に、接続先候補の通信システムが提供可能な論理ネットワークに関する情報を取得することが可能となる。これにより、端末装置は、接続先の通信システムの選択を効率的に行うことが可能となる。
【発明の効果】
【００２４】
以上説明したように本開示によれば、様々なユースケースに対応した複数形態の通信を効率的に運用することが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００２５】
【図１】本開示の一実施形態に係るシステムの全体構成を説明するための図である。
【図２】ＬＴＥのネットワーク構成の概略を示す図である。
【図３】ＮＲのネットワーク構成の概略を示す図である。
【図４】スライシング技術の概要を説明するための図である。
【図５】本開示の一実施形態に係る基地局の構成の一例を示すブロック図である。
【図６】本開示の一実施形態に係る端末装置の構成の一例を示すブロック図である。
【図７】本開示の一実施形態に係る制御装置の構成の一例を示すブロック図である。
【図８】本実施形態に係るシステムによるスライスの提供例を説明するための図である。
【図９】本実施形態に係るシステムにおいて実行される接続処理の流れの一例を示すシーケンス図である。
【図１０】本実施形態に係るシステムにおいて実行される接続処理の流れの一例を示すシーケンス図である。
【図１１】本実施形態に係るシステムにおいて実行される着呼処理の流れの一例を示すシーケンス図である。
【図１２】本実施形態に係るシステムにおいて実行される着呼処理の流れの一例を示すシーケンス図である。
【図１３】サーバの概略的な構成の一例を示すブロック図である。
【図１４】ｅＮＢの概略的な構成の第１の例を示すブロック図である。
【図１５】ｅＮＢの概略的な構成の第２の例を示すブロック図である。
【図１６】スマートフォンの概略的な構成の一例を示すブロック図である。
【図１７】カーナビゲーション装置の概略的な構成の一例を示すブロック図である。
【発明を実施するための形態】
【００２６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２７】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて基地局１００Ａ、１００Ｂ及び１００Ｃのように区別する。ただし、実質的に同一の機能構成を有する複数の要素の各々を特に区別する必要がない場合、同一符号のみを付する。例えば、基地局１００Ａ、１００Ｂ及び１００Ｃを特に区別する必要が無い場合には、単に基地局１００と称する。
【００２８】
なお、説明は以下の順序で行うものとする。
１．はじめに
１．１．システムの全体構成
１．２．考察
２．各装置の構成例
２．１．基地局の構成
２．２．端末装置の構成
２．３．制御装置の構成
３．第１の実施形態
３．１．技術的課題
３．２．技術的特徴
４．第２の実施形態
４．１．技術的課題
４．２．技術的特徴
５．応用例
６．まとめ
【００２９】
＜＜１．はじめに＞＞
＜１．１．システムの全体構成＞
図１は、本開示の一実施形態に係るシステムの全体構成を説明するための図である。図１に示すように、本実施形態に係るシステム１は、複数の基地局１００、複数のコアネットワーク（ＣＮ）３０及び端末装置２００を含む。
【００３０】
基地局１００は、セルを運用し、セルの内部に位置する１つ以上の端末装置へ無線サービスを提供する。例えば、基地局１００は、端末装置２００に無線サービスを提供する。セルは、例えばＬＴＥ又はＮＲ等の任意の無線通信方式に従って運用され得る。とりわけ、基地局１００Ａ及び１００Ｂは、マクロセル１１Ａ及び１１Ｂを運用するマクロセル基地局である。一方で、基地局１００Ｃ及び１００Ｄは、スモールセル１１Ｃ及び１１Ｄを運用するスモールセル基地局である。基地局１００は、ＣＮ３０に接続される。そして、ＣＮ３０は、ゲートウェイ装置（図示せず）を介してＰＤＮ（Packet  Data  Network）５０に接続される。
【００３１】
端末装置２００は、基地局１００による制御に基づいて基地局１００と無線通信する。端末装置２００は、いわゆるユーザ端末（ＵＥ：User  Equipment）であってもよい。端末装置２００は、基地局１００との間でリンク（例えば、ダウンリンク又はアップリンク）を形成する。そして、端末装置２００は、基地局１００にアップリンク信号を送信して、基地局１００からダウンリンク信号を受信する。
【００３２】
端末装置２００は、複数のセルに跨って位置しており、複数通りの接続先を有する。例えば、端末装置２００は、基地局１００Ａ、１００Ｂ又は１００Ｄを、接続先として選択し得る。また、端末装置２００は、ＣＮ３０Ａ又は３０Ｂを、接続先として選択し得る。ここで、ＣＮ３０Ａ及び３０Ｂの各々は、異なるネットワークオペレータが運用し得る。つまり、端末装置２００は、異なるネットワークオペレータが提供する複数のネットワークから、接続先を選択し得る。例えば、端末装置２００は、ＣＮ３０Ａ及び３０Ｂから接続先としてＣＮ３０Ａを選択し、ＣＮ３０Ａに接続し且つ通信可能な基地局１００Ａ及び１００Ｄから接続先として基地局１００Ｄを選択する、といったことを行い得る。このような環境において、端末装置２００は、どのネットワークに接続すべきかを適切に判断可能であることが望ましい。
【００３３】
＜１．２．考察＞
まず、図２及び図３を参照して３ＧＰＰで検討されているＬＴＥ及びＬＴＥの後継であるＮＲについて説明する。
【００３４】
図２は、ＬＴＥのネットワーク構成の概略を示す図である。図２に示すように、ＬＴＥのネットワーク構成は、ＲＡＮとＣＮとに分類される。ＣＮは、例えばＭＭＥ（Mobility  Management  Entity）、Ｓ−ＧＷ（Serving  gateway）、Ｐ−ＧＷ（PDN  gateway）、ＰＣＲＦ（Policy  and  Charging  Rule  Function）及びＨＳＳ（Home  Subscriber  Server）を含み得る。これらのうち、ＭＭＥ、ＨＳＳ及びＰＣＲＦは、制御プレーン（C-Plane）のエンティティであり、Ｓ−ＧＷ及びＰ−ＧＷは、ユーザプレーン（U-Plane）のエンティティである。以下、各エンティティについて詳しく説明する。ＭＭＥは、制御プレーンの信号を取り扱う制御ノードであり、端末装置の移動状態を管理する。Ｓ−ＧＷは、ユーザプレーンの信号を取り扱う制御ノードであり、ユーザデータの転送経路を切り替えるゲートウェイ装置である。Ｐ−ＧＷは、ユーザプレーンの信号を取り扱う制御ノードであり、コアネットワーク３０とＰＤＮ５０との接続点となるゲートウェイ装置である。ＰＣＲＦは、ベアラに対するＱｏＳ（Quality  of  Service）等のポリシー及び課金に関する制御を行う制御ノードである。ＨＳＳは、加入者データを取り扱い、サービス制御を行う制御ノードである。
【００３５】
図３は、ＮＲのネットワーク構成の概略を示す図である。図３に示すように、ＮＲのネットワーク構成は、ＮＲとＮｅｗ  ＣＮとに分類される。Ｎｅｗ  ＣＮは、制御プレーンに関する処理を行うＮｅｗ  Ｃｏｒｅ  Ｃ−Ｐｌａｎｅと、ユーザプレーンに関する処理を行うＮｅｗ  Ｃｏｒｅ  Ｕ−Ｐｌａｎｅとを含む。
【００３６】
ＮＲの特徴は、２つある。第１の特徴は、６ＧＨｚ以上１００ＧＨｚまでの周波数帯を用いて、高速大容量の通信を実現することである。第２の特徴は、様々なユースケースのための複数形態の通信を効率的に収容することである。ここで、複数形態の通信とは、高速大容量通信（Mobile  Broad  Band）、低遅延通信（Low  Latency）、ＭＴＣ（Machine  Type  Communication）、及びＤ２Ｄ（Device  to  Device）等を含む。ＮＲでは、これらの複数形態の通信を、ひとつのネットワークで収容することが検討されている。
【００３７】
ＲＡＮと接続するコアネットワーク側の技術として、ＬＴＥではＥＰＣ（Evolved  Packet  Core）が採用されていたが、その後継として、Ｎｅｗ  Ｃｏｒｅが検討されている。Ｎｅｗ  Ｃｏｒｅには、上述した複数形態の通信を効率よく収容すること、及びＣＡＰＥＸ／ＯＰＥＸ（設備導入費用、運用費用）を低く抑えることが求められている。
【００３８】
ＣＡＰＥＸ／ＯＰＥＸを低く保ちながら、複数形態の通信を提供するためには、通信形態ごとに物理的にネットワークを分けることは困難である。そこで、物理的には単一のネットワークにおいて複数の通信形態に対応する複数の論理的なネットワークを運用すること、及び通信形態ごとの通信量の需要に応じて柔軟に論理ネットワークのキャパシティを変更することが検討されている。
【００３９】
そのためには、コアネットワークの各ノード（換言すると、通信設備）を仮想マシン（virtual  machine）として実装して、論理ネットワークごとに対象の通信形態に応じたノードの動作を仮想的に実行させることが考えられる。仮想マシンで実装された機能については、通信の需要の増減に応じて機能を増減させたり、機能ごとに割り当てられる計算機リソースを増減させたりすることが可能なためである。仮想マシンにより実装された機能は、仮想ネットワーク技術により、他の機能と接続されてネットワーク化される。そのような仮想ネットワーク技術としては、例えば、各スイッチのルールを中央のコントローラが配布して、当該コントローラが配布したルールに従ってスイッチが動作する、オープンフロー（Open  Flow）という技術がある。オープンフローによれば、仮想マシンによって実装された機能同士を接続するスイッチを自在に切り替えることで、柔軟なネットワーク運用が可能となる。
【００４０】
以上のように、仮想マシンとオープンフローのような仮想ネットワーク（virtual  network）の技術とを組み合わせて、性質の異なる論理ネットワーク（即ち、通信のための土管）を提供する技術は、スライシング（Slicing）とも称される。
【００４１】
図４は、スライシング技術の概要を説明するための図である。図４に示すように、仮想マシンとオープンフロースイッチとを組み合わせることで、低遅延通信用のコアネットワーク、ＭＴＣ用のコアネットワーク、Ｄ２Ｄ用のコアネットワークが、ひとつの物理ネットワーク上で実現される。換言すると、互いに異なる通信サービスを提供可能な、論理的に独立なネットワークが、ひとつの物理ネットワーク上で実現される。スライシング技術において提供される論理ネットワークは、スライス又はネットワークスライスとも称される。スライシング技術によれば、用途の異なる論理ネットワークを柔軟に提供することができる。さらに、スライシング技術によれば、仮想マシンに割り当てる計算リソースを増減させたり、スイッチングを変更したりすることにより、各スライスの容量を柔軟に変更可能である。
【００４２】
ＣＡＰＥＸ／ＯＰＥＸを低く抑えながら複数形態の通信を効率よく収容する、といったＮｅｗ  Ｃｏｒｅへの要求を考慮すれば、セルラーネットワークにおいてスライシング技術は採用されることが望ましい。
【００４３】
ここで、セルラーネットワークは、ＲＡＮとＣＮで構成される。スライシング技術は、主に、ＣＮ側に適用し易いと考えられている。ＬＴＥにおいては、ＣＮ側にＭＭＥ、Ｐ−ＧＷ、Ｓ−ＧＷ及びＰＣＲＦのような様々なノードがあるのに対して、ＲＡＮ側には基地局しかないからである。しかし、１つの基地局が、限りのある周波数帯域を用いて、様々な通信形態に対応する無線サービスを提供可能にするため、及び通信形態ごとの通信リソース量を柔軟に変更可能にするためには、ＲＡＮ側でもスライシング技術が適用されることが望ましい。
【００４４】
なお、スライスに一見類似する概念に、ネットワーク上の通信品質を保障するＱｏＳ（Quality  of  Service）がある。しかし、ＱｏＳは、あくまでも、遅延時間や通信帯域を制御するものにすぎなかった。これに対し、スライスは、遅延時間や通信帯域を制御可能なだけに留まらない。例えば、異なるスライス間では、アッタチプロシージャ等のシグナリング自体、異なり得る。また、異なるスライス間では、ネットワークへのアクセス方法自体、異なり得る。即ち、スライスは、独自のシグナリング及びアクセス方法を提供しつつ、遅延時間や通信帯域を制御可能である。従って、ＱｏＳは、スライスが提供する機能の一部の機能を提供可能な、スライスのサブセットとして捉えることができる。
【００４５】
＜＜２．各装置の構成例＞＞
続いて、図５〜図７を参照して、本実施形態に係る基地局１００、端末装置２００及び制御装置３００の構成を説明する。
【００４６】
ここで、制御装置３００は、ＣＮ３０に含まれる制御エンティティである。ＣＮ３０は、典型的には複数の制御装置を含み、それら制御装置の協働により各種動作を行うものであるが、制御装置３００は、ＣＮ３０において本実施形態に係る処理を行うエンティティであるものとする。即ち、以下では、ＣＮ３０は制御装置３００に読み替えられてもよく、制御装置３００はＣＮ３０に読み替えられてもよい。制御装置３００の機能は、複数の制御装置に分かれて実装されてもよい。
【００４７】
＜２．１．基地局の構成＞
まず、図５を参照して、本開示の一実施形態に係る基地局１００の構成の一例を説明する。図５は、本開示の一実施形態に係る基地局１００の構成の一例を示すブロック図である。図５を参照すると、基地局１００は、アンテナ部１１０、無線通信部１２０、ネットワーク通信部１３０、記憶部１４０及び処理部１５０を備える。
【００４８】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００４９】
（２）無線通信部１２０
無線通信部１２０は、信号を送受信する。例えば、無線通信部１２０は、端末装置へのダウンリンク信号を送信し、端末装置からのアップリンク信号を受信する。
【００５０】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局１００及び制御装置３００を含む。
【００５１】
（４）記憶部１４０
記憶部１４０は、基地局１００の動作のためのプログラム及び様々なデータを一時的に又は恒久的に記憶する。
【００５２】
（５）処理部１５０
処理部１５０は、基地局１００の様々な機能を提供する。処理部１５０は、通知部１５１、取得部１５３及び通信制御部１５５を含む。なお、処理部１５０は、これらの構成要素以外の他の構成要素をさらに含み得る。即ち、処理部１５０は、これらの構成要素の動作以外の動作も行い得る。通知部１５１、取得部１５３及び通信制御部１５５の動作は、後に詳細に説明する。
【００５３】
＜２．２．端末装置の構成＞
続いて、図６を参照して、本開示の一実施形態に係る端末装置２００の構成の一例を説明する。図６は、本開示の一実施形態に係る端末装置２００の構成の一例を示すブロック図である。図６を参照すると、端末装置２００は、アンテナ部２１０、無線通信部２２０、記憶部２３０及び処理部２４０を備える。
【００５４】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００５５】
（２）無線通信部２２０
無線通信部２２０は、信号を送受信する。例えば、無線通信部２２０は、基地局からのダウンリンク信号を受信し、基地局へのアップリンク信号を送信する。
【００５６】
（３）記憶部２３０
記憶部２３０は、端末装置２００の動作のためのプログラム及び様々なデータを一時的に又は恒久的に記憶する。
【００５７】
（４）処理部２４０
処理部２４０は、端末装置２００の様々な機能を提供する。処理部２４０は、取得部２４１、選択部２４３、通知部２４５及び通信制御部２４７を含む。なお、処理部２４０は、これらの構成要素以外の他の構成要素をさらに含み得る。即ち、処理部２４０は、これらの構成要素の動作以外の動作も行い得る。取得部２４１、選択部２４３、通知部２４５及び通信制御部２４７の動作は、後に詳細に説明する。
【００５８】
＜２．３．制御装置の構成＞
続いて、図７を参照して、本開示の一実施形態に係る制御装置３００の構成の一例を説明する。図７は、本開示の一実施形態に係る制御装置３００の構成の一例を示すブロック図である。図７を参照すると、制御装置３００は、通信部３１０、記憶部３２０、及び処理部３３０を備える。
【００５９】
（１）通信部３１０
通信部３１０は、信号を送受信する。例えば、通信部３１０は、ＣＮ３０に接続する基地局１００との間で通信を行う。
【００６０】
（２）記憶部３２０
記憶部３２０は、制御装置３００の動作のためのプログラム及び様々なデータを一時的に又は恒久的に記憶する。
【００６１】
（３）処理部３３０
処理部３３０は、制御装置３００の様々な機能を提供する。処理部３３０は、通知部３３１、取得部３３３及び通信制御部３３５を含む。なお、処理部３３０は、これらの構成要素以外の他の構成要素をさらに含み得る。即ち、処理部３３０は、これらの構成要素の動作以外の動作も行い得る。通知部３３１、取得部３３３及び通信制御部３３５の動作は、後に詳細に説明する。
【００６２】
＜＜３．第１の実施形態＞＞
本実施形態は、端末装置２００を起点とする通信に関する。
【００６３】
＜３．１．技術的課題＞
端末装置、基地局及びＣＮの各々は、スライスを提供可能であり、各々のスライスは任意に関連付けられ得る。そこで、端末装置、基地局及びＣＮの各々は、自身が提供するスライスに関する情報を、互いに開示することが望ましい。
【００６４】
例えば、端末装置は、接続先のネットワークに関し多様な選択肢を有し得る。例えば、端末装置は、複数のネットワークオペレータの基地局から接続先を選択可能になり得る。また、端末装置は、単一のネットワークオペレータの基地局に接続する場合であっても、スモールセル基地局が密に配置される環境では、いずれのスモールセル基地局に接続するかを選択可能になり得る。また、マクロセルとスモールセルとがオーバーレイする環境では、端末装置は、マクロセル基地局又はスモールセル基地局のいずれに接続するかを選択可能になり得る。
【００６５】
このような環境においては、端末装置は、様々な基地局の中から、自身が接続する基地局を選択することになる。そして、基地局の後ろには、多様なＣＮが存在し得る。そうすると、端末装置は、基地局及びその後ろのＣＮにおいて提供されるスライスがどのようなものかを認識した上で、接続先のネットワークを選択可能になることが望ましい。
【００６６】
＜３．２．技術的特徴＞
（１）本実施形態におけるスライス
本実施形態に係る基地局１００、端末装置２００及びＣＮ３０の各々は、互いに異なる通信サービスを提供するひとつ以上の論理ネットワークを提供可能である。即ち、基地局１００、端末装置２００及びＣＮ３０の各々は、ひとつ以上のスライスを提供可能である。この点について、図８を参照して説明する。
【００６７】
図８は、本実施形態に係るシステムによるスライスの提供例を説明するための図である。図８に示すように、例えば、端末装置２００はスライスＵ１〜Ｕ２を提供し、基地局１００はスライスＢ１〜Ｂ４を提供し、ＣＮ３０はスライスＣ１〜Ｃ３を提供する。通常は、ＣＮにスライシング技術が適用され、ＣＮにおいてスライスが提供されると考えられている。これに対し、本実施形態では、図８に示すように、ＲＡＮ側でもスライスが提供され、さらに、基地局１００と端末装置２００とでそれぞれスライスが提供される。
【００６８】
基地局１００、端末装置２００及びＣＮ３０の各々において提供されたスライスは、互いに関連付けられることで、端末装置２００からＣＮ３０までの、エンドツーエンドのスライスが形成される。図８に示した例では、スライスＵ１、Ｂ２及びＣ３が関連付けられて、エンドツーエンドのスライスが形成されている。なお、スライス同士を関連付ける主体は任意である。例えば、端末装置２００からのリクエストに応じて、基地局１００又は制御装置３００が、各々のスライスを関連付けてもよい。
【００６９】
そこで、基地局１００、端末装置２００及びＣＮ３０の各々は、互いに、自身が提供可能なスライスに関する情報を提供し合う。例えば、ＣＮ３０は、自身が提供可能なスライスに関する情報を基地局１００及び端末装置２００に提供する。また、基地局１００は、自身が提供可能なスライスに関する情報を端末装置２００に提供する。なお、各々が提供可能なスライスに関する情報を、以下では単にスライスに関する情報とも称しえる。
【００７０】
スライスに関する技術が提供されることで、端末装置２００は、ネットワーク側からどのようなスライスが提供されるか、及びスライスの状態（例えば、混雑度）等を認識した上で、アタッチを要求して所望するスライスに接続することが可能となる。なお、スライスに関する情報は、スライスに関する能力を示すケイパビリティ情報として捉えられてもよい。
【００７１】
以下、スライスに関する情報の一例を説明する。
【００７２】
例えば、スライスに関する情報は、提供可能な論理ネットワーク又は提供不可能な論理ネットワークの種類を示す情報を含んでいてもよい。本情報を通知された装置（例えば、端末装置２００）は、自身が所望する論理ネットワークを接続候補の物理ネットワークが提供可能か否かを、接続前に知得することが可能となる。本情報の一例を、下記の表１に示す。
【００７３】
【表１】
2018142818.tif 000003
【００７４】
例えば、スライスに関する情報は、スライスの負荷状態を示す情報を含んでいてもよい。本情報を通知された装置（例えば、端末装置２００）は、スライスの負荷状態に基づいて接続先の物理ネットワークを選択することが可能となる。本情報の一例を、下記の表２に示す。
【００７５】
【表２】
2018142818.tif 000004
【００７６】
例えば、スライスに関する情報は、スライスの使用単価を示す情報を含んでいてもよい。本情報を通知された装置（例えば、端末装置２００）は、使用単価に基づいて接続先の物理ネットワークを選択することが可能となる。本情報の一例を、下記の表３に示す。
【００７７】
【表３】
2018142818.tif 000005
【００７８】
例えば、スライスに関する情報は、スライスが提供される確率を示す情報を含んでいてもよい。本情報を通知された装置（例えば、端末装置２００）は、例えば自身が所望するスライスの提供確率が高い物理ネットワークを接続先として選択することが可能となる。
【００７９】
例えば、スライスに関する情報は、スライスのコンフィギュレーションに関する情報を含んでいてもよい。本情報は、とりわけＣＮ３０から基地局１００に通知され、基地局１００において用いられる。本情報の一例、下記の表４に示す。
【００８０】
【表４】
2018142818.tif 000006
【００８１】
（２）端末装置２００の動作
端末装置２００（例えば、通信制御部２４７）は、ひとつ以上のスライスを提供可能な通信システムとの通信を制御する。ここでの通信システムとは、基地局１００及びＣＮ３０である。例えば、端末装置２００は、基地局１００からのスケジューリングに従ってアップリンク信号を送信しダウンリンク信号を受信する。とりわけ、本実施形態では、まず、端末装置２００（例えば、取得部２４１）は、通信システムが提供可能なスライスに関する情報を取得する。より詳しくは、端末装置２００は、通信システムが提供可能なスライスに関する情報を、通信システムへのアタッチ前に取得する。次いで、端末装置２００（例えば、選択部２４３）は、取得したスライスに関する情報に基づいて接続する通信システムを選択する。端末装置２００は、接続先の基地局１００を選択してもよいし、基地局１００が接続可能なＣＮ３０が複数ある場合には、接続先の基地局１００に加えて接続先のＣＮ３０を選択してもよい。そして、端末装置２００（例えば、通信制御部２４７）は、選択した通信システムへのアタッチプロシージャを開始して、選択した通信システムとの接続を確立し、通信を行う。とりわけ、端末装置２００は、選択した通信システムが提供するスライスのうち、所望するスライスに接続して、通信を行う。
【００８２】
端末装置２００（例えば、取得部２４１）は、スライスに関する情報のリクエストを通信システム（具体的には、基地局１００）に送信してもよい。これにより、端末装置２００は、能動的にスライスに関する情報を取得することが可能となる。
【００８３】
端末装置２００（例えば、通知部２４５）は、自身のスライスに関する情報を他の装置（例えば、基地局１００）に通知してもよい。典型的には、１台の端末装置２００は、ＭＴＣのプロトコルを実装している場合にのみ、ＭＴＣ通信を行うことが可能である。このことは、低遅延通信等の他の通信形態についても同様である。そこで、端末装置２００は、スライスに関する情報として、どのような通信形態に対応した処理が可能であるか、即ちどの通信形態に対応したスライスを提供可能であるかを示す情報を通知し得る。
【００８４】
端末装置２００は、アタッチリクエストと共に、自身のスライスに関する情報を通知してもよい。これにより、端末装置２００は、自身の能力に応じた適切なスライスに接続することが可能となる。
【００８５】
（３）基地局１００の動作
基地局１００（例えば、通信制御部１５５）は、ひとつ以上のスライスを提供可能であり、提供可能なスライスから選択されたスライスの提供を受ける端末装置２００との通信を制御する。例えば、基地局１００は、スケジューリングを行って端末装置２００と通信する。とりわけ本実施形態では、基地局１００（例えば、通知部１５１）は、端末装置２００において接続先を選択するために用いられる、基地局１００が提供可能なスライスに関する情報を、他の装置（例えば、端末装置２００）に通知する。これにより、端末装置２００は、基地局１００が提供可能なスライスに関する情報に基づいて、接続先の通信システムを選択することが可能となる。
【００８６】
基地局１００は、スライスに関する情報として、例えば低遅延通信用のリソースをどの程度提供できて、その場合の遅延量はどの程度のものであるか、を通知し得る。また、基地局１００は、スライスに関する情報として、例えば、ＭＴＣのように多くの端末が同時にネットワークに接続するような通信形態の場合には、何台の端末を収容可能であるか、を通知し得る。
【００８７】
なお、基地局１００は、キャリアアグリゲーション技術を用いて、複数のコンポーネントキャリアを同時に運用することができる。それらの複数のコンポーネントキャリアの中で、どの周波数及びタイムスロットをＭＴＣ用に使用し、高速大容量通信用に使用し、又は低遅延通信用に使用するかは、基地局１００によるリソーススケジューリングに多く依存する。従って、リソースの割り当ての観点では、スライスとスケジューリングとは一見類似するとも言える。しかしながら、スケジューリングは、例えばＭＴＣにおける収容端末数等のパラメータ設定が困難なので、スライスとは似て非なるものである。
【００８８】
基地局１００は、スライスに関する情報を、システム情報を用いて通知してもよい。換言すると、基地局１００は、スライスに関する情報を定期的に報知してもよい。なお、システム情報として、例えばＭＩＢ（Master  Information  Block）又はＳＩＢ（System  Information  Block）が用いられ得る。
【００８９】
基地局１００は、端末装置２００からのリクエストに応じて、スライスに関する情報を通知してもよい。これにより、端末装置２００は、必要なときにスライスに関する情報の通知を受けることが可能となる。この場合、基地局１００は、スライスに関する情報を、リクエストの送信元の端末装置２００へ、専用シグナリング（Dedicated  Signaling）により通知してもよい。
【００９０】
基地局１００（例えば、取得部１５３）は、ＣＮ３０からＣＮ３０が提供可能なスライスに関する情報を取得してもよい。そして、基地局１００は、基地局１００が接続するＣＮ３０が提供可能なスライスに関する情報を端末装置２００に通知してもよい。例えば、基地局１００は、定期的にＣＮ３０からスライスに関する情報を取得して、端末装置２００に通知する。これにより、端末装置２００は、基地局１００が提供可能なスライスに関する情報に加えて、当該基地局１００が接続するＣＮ３０が提供可能なスライスに関する情報に基づいて、接続先の通信システムを選択することが可能である。
【００９１】
ここで、基地局１００において提供されるスライスとＣＮ３０において提供されるスライスとが、必ずしも組み合わせ（即ち、関連付け）可能であるとは限らない。例えば、基地局１００のあるスライスと、ＣＮ３０のあるスライスとは、組み合わせて用いることができない、といった制限があり得る。そこで、基地局１００は、基地局１００が提供可能なスライスとＣＮ３０が提供可能なスライスとの組み合わせが可能か否かを示す情報を端末装置２００に通知してもよい。例えば、組み合わせ可能なスライスの組を示す情報が通知される。これにより、端末装置２００は、上記制限を加味して接続先を選択することが可能となる。通知される情報の一例を、下記の表５及び表６に示した。表５及び表６によれば、基地局１００のスライスとＣＮ３０のスライスとの可能な組み合わせを示す情報が、端末装置２００に通知される。
【００９２】
【表５】
2018142818.tif 000007
【００９３】
【表６】
2018142818.tif 000008
【００９４】
組み合わせが複数ある場合には、複数の組み合わせの各々の提供可能性を示す確率が通知されてもよい。その一例を、下記の表７に示した。表７によれば、基地局１００のスライスとＣＮ３０のスライスとの可能な組み合わせ、及び当該組み合わせごとの提供確率が、端末装置２００に通知される。
【００９５】
【表７】
2018142818.tif 000009
【００９６】
（４）ＣＮ３０の動作
ＣＮ３０は、ひとつ以上のスライスを提供可能である。ＣＮ３０のスライスの一例として、低遅延用のスライス、及びＭＴＣ用のスライスが考えられる。低遅延用のスライスは、通過するスイッチの段数が少なく、且つ、処理遅延が少なくなるように計算機リソースが十分に割り当てられたネットワークである。一方、ＭＴＣ用のスライスは、ユーザプレーンの処理よりも、制御プレーンの処理に多くの計算機リソースが割り当てられたネットワークである。これにより、ＭＴＣ用のスライスは、収容する端末数が多く１度に送信されるデータ量が小さい、という通信形態に適したものとなる。
【００９７】
制御装置３００（例えば、通信制御部３３５）は、ＣＮ３０が提供可能なひとつ以上のスライスから選択されたスライスの提供を受ける端末装置２００の通信を制御する。例えば、制御装置３００は、端末装置２００からのリクエストに応じてスライスの関連付けを行ったり、端末装置２００とＰＤＮとの信号のやり取りを中継したりする。とりわけ本実施形態では、制御装置３００（例えば、通知部３３１）は、端末装置２００において接続先を選択するために用いられる、ＣＮ３０が提供可能なスライスに関する情報を、他の装置に通知する。制御装置３００は、スライスに関する情報を基地局１００に通知してもよいし、基地局１００を介して端末装置２００に通知してもよい。これにより、端末装置２００は、ＣＮ３０が提供可能なスライスに関する情報に基づいて、接続先を選択することが可能となる。
【００９８】
制御装置３００は、スライスに関する情報として、例えば、上述したスイッチの段数、又は計算機リソースの量等を通知し得る。また、制御装置３００は、スライスに関する情報として、ＥＰＣに対応したスライスを提供可能か否か、及びＮＲに対応したスライスが提供可能か否かを示す情報を通知し得る。
【００９９】
（５）処理の流れ
以下、端末装置２００による接続処理の一例を説明する。まず、図９を参照して、スライスに関する情報が報知される場合の接続処理の一例を説明する。続いて、図１０を参照して、スライスに関する情報が専用シグナリングを用いて通知される場合の接続処理の一例を説明する。
【０１００】
・報知
図９は、本実施形態に係るシステム１において実行される接続処理の流れの一例を示すシーケンス図である。図９に示すように、本シーケンスには、端末装置２００、基地局１００及びＣＮ３０（より正確には、制御装置３００）が関与する。
【０１０１】
基地局１００は、スライスに関する情報の通知を要求する、スライスケイパビリティリクエストを、定期的にＣＮ３０に送信する（ステップＳ１０２）。次いで、ＣＮ３０は、ＣＮ３０のスライスに関する情報を含むスライスケイパビリティレポートを、基地局１００に送信する（ステップＳ１０４）。
【０１０２】
基地局１００は、基地局１００及びＣＮ３０のスライスに関する情報を、定期的に端末装置２００に報知する（ステップＳ１０６）。そして、端末装置２００は、受信した基地局１００及びＣＮ３０のスライスに関する情報に基づいて、接続先の通信システム（基地局１００、又は基地局１００及びＣＮ３０）を選択する（ステップＳ１０８）。
【０１０３】
その後、選択された通信システムへのアタッチプロシージャが行われる。具体的には、端末装置２００は、基地局１００にアタッチリクエスト及び自身のスライスに関する情報を送信する（ステップＳ１１０）。次いで、基地局１００は、アタッチリクエストをＣＮ３０に送信する（ステップＳ１１２）。基地局１００は、ＣＮ３０からアタッチアクセプトを受信すると（ステップＳ１１４）、端末装置２００にアタッチアクセプトを送信する（ステップＳ１１６）。
【０１０４】
・専用シグナリング
図１０は、本実施形態に係るシステム１において実行される接続処理の流れの一例を示すシーケンス図である。図１０に示すように、本シーケンスには、端末装置２００、基地局１００及びＣＮ３０（より正確には、制御装置３００）が関与する。
【０１０５】
基地局１００は、スライスに関する情報の通知を要求する、スライスケイパビリティリクエストを、定期的にＣＮ３０に送信する（ステップＳ２０２）。次いで、ＣＮ３０は、ＣＮ３０のスライスに関する情報を含むスライスケイパビリティレポートを、基地局１００に送信する（ステップＳ２０４）。
【０１０６】
端末装置２００は、ネットワークへの接続要求が発生すると、スライスケイパビリティリクエストを基地局１００に送信する（ステップＳ２０６）。次に、基地局１００は、基地局１００及びＣＮ３０のスライスに関する情報を含むスライスケイパビリティレポートを、専用シグナリングを用いて端末装置２００に送信する（ステップＳ２０８）。そして、端末装置２００は、受信した基地局１００及びＣＮ３０のスライスに関する情報に基づいて、接続先の通信システム（基地局１００、又は基地局１００及びＣＮ３０）を選択する（ステップＳ２１０）。
【０１０７】
その後、選択された通信システムへのアタッチプロシージャが行われる。具体的には、端末装置２００は、基地局１００にアタッチリクエスト及び自身のスライスに関する情報を送信する（ステップＳ２１２）。次いで、基地局１００は、アタッチリクエストをＣＮ３０に送信する（ステップＳ２１４）。基地局１００は、ＣＮ３０からアタッチアクセプトを受信すると（ステップＳ２１６）、端末装置２００にアタッチアクセプトを送信する（ステップＳ２１８）。
【０１０８】
（６）先行技術との違い
上記説明した本実施形態に係る技術と、非特許文献１に記載の技術との違いについて説明する。
【０１０９】
非特許文献１では、ＵＥが共通スライスにアタッチを要求すると、当該ＵＥがネットワークに接続する権利を持っているかどうかがネットワーク側（例えば、基地局及びコアネットワーク）で検査されて、その後、ＵＥに提供するスライスをネットワーク側が選択する技術が記載されている。この技術の問題点は、ＵＥは、ネットワーク側からどのようなスライスが提供されるかが不明なまま、ネットワークにアタッチを要求しなければならない点である。
【０１１０】
これに対し、本実施形態では、端末装置２００がアタッチを要求する前に、事前にネットワーク側からスライスに関する情報が提供される。従って、本実施形態では、端末装置２００は、ネットワーク側からどのようなスライスが提供されるか、及びスライスの状態（例えば、混雑度）等を認識した上で、アタッチを要求して所望するスライスに接続することが可能である。従って、本実施形態では、共通スライスに一旦接続するという無駄な手順が削減される上に、接続したネットワークでは所望するスライスが提供されないので他のネットワークに接続し直す、といった無駄も回避される。
【０１１１】
＜＜４．第２の実施形態＞＞
本実施形態は、ＣＮ３０を起点とする通信に関する。
【０１１２】
＜４．１．技術的課題＞
端末装置は、ネットワークに接続した後、アイドルモード（例えば、ＲＲＣ（Radio  Resource  Control）アイドル状態）に遷移し得る。そして、アイドルモードの端末装置に対する着呼（incoming  call）があった場合、ページングメッセージが基地局から端末装置に送信される。ここで、着呼とは、端末装置宛てに電話がかかってくること、又は端末装置宛てのデータが受信されること等である。このページングメッセージも、端末装置が所望するスライスを用いて送信されることが望ましい。
【０１１３】
＜４．２．技術的特徴＞
（１）ページングメッセージのためのスライス
制御装置３００（例えば、通信制御部３３５）は、端末装置２００がアイドルモードである場合に、端末装置２００に対応するスライスを提供可能な基地局１００を、ページングメッセージを送信させる基地局として選択する。例えば、制御装置３００は、端末装置２００がいるであろうと予測される範囲（例えば、トラッキングエリア）から、端末装置２００に対応するスライスを提供可能な基地局１００を選択する。そして、制御装置３００は、選択した基地局１００に用いるべきスライスを設定した上で、ページングメッセージを端末装置２００に送信させる。
【０１１４】
基地局１００(例えば、通信制御部１５５)は、端末装置２００がアイドルモード（例えば、ＲＲＣアイドル状態）である場合に、端末装置２００に対応するスライスを用いて端末装置２００にページングメッセージを送信する。詳しくは、基地局１００は、上述した制御装置３００により設定されたスライスを用いて、ページングメッセージを送信する。これにより、端末装置２００へのページングメッセージの送信に、端末装置２００に対応するスライスを用いることが可能となる。なお、トラッキングエリアには、複数の基地局１００が含まれ得る。また、選択されてページングメッセージを送信する基地局１００は、複数であってもよい。
【０１１５】
基地局１００（例えば、通知部１５１）は、提供可能なスライスに関する情報を、ＣＮ３０に通知する。そして、制御装置３００（例えば、取得部３３３）は、基地局１００が提供可能なスライスに関する情報を取得する。これにより、制御装置３００は、ＣＮ３０に接続する基地局１００の各々が提供可能なスライスを事前に把握することが可能となる。制御装置３００は、通知された情報を記憶しておき、着呼があった場合に記憶した情報を参照して、ページングメッセージを送信させる基地局１００を選択する。なお、スライスごとに、ページングの設定が異なり得る。例えば、ＭＴＣ通信に関しては月末にのみページングメッセージが送信され、Ｄ２Ｄ通信に関しては中継装置を介して端末装置２００にページングメッセージが送信され得る。そのような設定も、基地局１００からＣＮ３０に通知されてもよい。
【０１１６】
ページングメッセージの送信に用いられる、端末装置２００に対応するスライスは、多様な手段で選択され得る。
【０１１７】
例えば、ページングメッセージの送信に用いられる、端末装置２００に対応するスライスは、事前に登録されてもよい。例えば、制御装置３００は、端末装置２００に対応するスライスを登録（即ち、記憶）する。これにより、制御装置３００は、端末装置２００への着呼があった際に、登録されたスライスを用いてページングメッセージを基地局１００に送信させることが可能となる。例えば、端末装置２００に対応するスライスは、事前に加入者ファイルに登録されてもよい。加入者ファイルでは、端末装置２００ごとの、ページングメッセージの送信に用いるべきスライスが登録され得る。その一例を、表８に示す。
【０１１８】
【表８】
2018142818.tif 000010
【０１１９】
例えば、ページングメッセージの送信に用いられる、端末装置２００に対応するスライスは、端末装置２００がＲＲＣアイドル状態に遷移する際に、端末装置２００により設定されてもよい。例えば、端末装置２００は、ＲＲＣアイドル状態に遷移する際に、ページングメッセージの送信に用いるべきスライスを指定するための、スライス設定リクエストをＣＮ３０に送信する。これにより、ＣＮ３０は、端末装置２００に対応するスライスを登録することが可能となる。例えば、端末装置２００は、ＭＴＣ端末としてページングメッセージの待ち受けを行う旨を、スライス設定リクエストに含めて送信する。すると、端末装置２００への着呼があった場合、端末装置２００の近隣の基地局１００のうちＭＴＣのスライスを提供可能な基地局１００が選択されて、当該基地局１００によりＭＴＣのスライスを用いてページングメッセージが送信される。これにより、ＭＴＣ端末として動作する端末装置２００は、ＭＴＣ端末向けのページングメッセージを受信することが可能となる。なお、スライス設定リクエストには、端末装置２００のスライスに関する情報が含まれていてもよい。
【０１２０】
例えば、ページングメッセージの送信に用いられる、端末装置２００に対応するスライスは、端末装置２００がＲＲＣアイドル状態に遷移する前に接続していたスライスであってもよい。例えば、ＣＮ３０は、ＲＲＣ接続状態にある端末装置２００が接続するスライスを記憶しておき、ＲＲＣアイドル状態に遷移した後に着呼があった場合には記憶した情報を参照する。この場合、端末装置２００は、スライス設定リクエストを明示的に送信せずとも、所望するスライスでページングメッセージを受信することが可能となる。
【０１２１】
以上ページングメッセージの送信に用いられる、端末装置２００に対応するスライスの選択手段の一例を説明した。これらの手段は２つ以上組み合わせて用いられてもよく、各々の手段により選択されたスライスを用いてページングメッセージが送信されてもよい。
【０１２２】
ここで、端末装置２００への発呼を行う通信相手が、ページングメッセージの送信に用いるべきスライスを指定する場合が想定される。例えば、通信相手のアプリケーションの要求等に応じて、ページングメッセージの送信に用いるべきスライスが指定され得る。なお、指定されるスライスは、複数であってもよい。
【０１２３】
その場合、ページングメッセージの送信に用いられる、端末装置２００に対応するスライスは、発呼元から指定されたスライスであってもよい。即ち、発呼元から指定されたスライスを用いて、ページングメッセージが送信されてもよい。また、制御装置３００（例えば、通信制御部３３５）は、端末装置２００への着呼に関し、ページングメッセージの送信に用いるスライスを発呼元から指定された場合に、当該着呼を受理可能か否かを判断してもよい。例えば、制御装置３００は、発呼元から指定されたスライスを端末装置２００及び端末装置２００の近隣の基地局１００が提供可能である場合に受理可能と判断し、そうでない場合に受理不可能と判断する。他にも、制御装置３００は、端末装置２００がスライス設定リクエストにより指定したスライスと、発呼元が指定したスライスとが一致する場合に受理可能と判断し、一致しない場合に受理不可能と判断してもよい。受理可能と判断された場合、制御装置３００は、指定されたスライスを用いて、基地局１００を介してページングメッセージを端末装置２００に送信する。一方で、受理不可能と判断された場合、制御装置３００は、その旨を発呼元に送信する。
【０１２４】
（２）処理の流れ
以下、端末装置２００への着呼があった場合の処理の一例を説明する。まず、図１１を参照して、端末装置２００がスライス設定リクエストを送信する場合の着呼処理の一例を説明する。続いて、図１２を参照して、発呼元からスライスが指定される場合の着呼処理の一例を説明する。
【０１２５】
図１１は、本実施形態に係るシステム１において実行される着呼処理の流れの一例を示すシーケンス図である。図１１に示すように、本シーケンスには、端末装置２００、基地局１００及びＣＮ３０（より正確には、制御装置３００）が関与する。
【０１２６】
まず、端末装置２００は、ＲＲＣアイドル状態に遷移する際に（ステップＳ３０２）、スライス設定リクエストをＣＮ３０に送信する（ステップＳ３０４）。
【０１２７】
次いで、ＣＮ３０は、スライス設定リクエストに基づいて端末装置２００に対応するスライスを記憶する（ステップＳ３０６）。例えば、制御装置３００は、ＣＮ３０の制御プレーンのエンティティであってもよく、制御装置３００が、スライス設定リクエストに基づいて端末装置２００に対応するスライスを記憶する。また、ＣＮ３０は、スライスケイパビリティリクエストを基地局１００に送信し（ステップＳ３０８）、基地局１００からスライスケイパビリティレスポンスを受信することで（ステップＳ３１０）、基地局１００のスライスに関する情報も記憶する。
【０１２８】
ＣＮ３０は、端末装置２００への着呼を受信すると（ステップＳ３１２）、基地局選択処理を行う（ステップＳ３１４）。具体的には、ＣＮ３０は、ステップＳ３０６及びＳ３１０において記憶した情報を参照して、端末装置２００がいるであろうと予測される範囲から、端末装置２００に対応するスライスを提供可能な基地局１００を選択する。
【０１２９】
そして、ＣＮ３０は、基地局１００に、端末装置２００に対応するスライスを用いるようにスライス設定を行い（ステップＳ３１６）、ページングメッセージを送信する（ステップＳ３１８）。次いで、基地局１００は、設定されたスライスを用いて、ページングメッセージを端末装置２００に送信する（ステップＳ３２０）。
【０１３０】
図１２は、本実施形態に係るシステム１において実行される着呼処理の流れの一例を示すシーケンス図である。図１１に示すように、本シーケンスには、端末装置２００、基地局１００及びＣＮ３０（より正確には、制御装置３００）が関与する。
【０１３１】
まず、端末装置２００は、ＲＲＣアイドル状態に遷移する際に（ステップＳ４０２）、スライス設定リクエストをＣＮ３０に送信する（ステップＳ４０４）。
【０１３２】
次いで、ＣＮ３０は、スライス設定リクエストに基づいて端末装置２００に対応するスライスを記憶する（ステップＳ４０６）。例えば、制御装置３００は、ＣＮ３０の制御プレーンのエンティティであってもよく、制御装置３００が、スライス設定リクエストに基づいて端末装置２００に対応するスライスを記憶する。また、ＣＮ３０は、スライスケイパビリティリクエストを基地局１００に送信し（ステップＳ４０８）、基地局１００からスライスケイパビリティレスポンスを受信することで（ステップＳ４１０）、基地局１００のスライスに関する情報も記憶する。
【０１３３】
ＣＮ３０は、端末装置２００へのスライスの指定付き着呼を受信すると（ステップＳ４１２）、着呼受理可否を判断する（ステップＳ４１４）。例えば、制御装置３００は、発呼元から指定されたスライスを端末装置２００及び端末装置２００の近隣の基地局１００が提供可能であり、且つ端末装置２００が指定したスライスと、発呼元が指定したスライスとが一致する場合に、受理可能であると判断する。受理可能と判断した場合、ＣＮ３０は、基地局選択処理を行う（ステップＳ４１６）。具体的には、ＣＮ３０は、ステップＳ４０６及びＳ４１０において記憶した情報を参照して、端末装置２００がいるであろうと予測される範囲から、発呼元から指定されたスライスを提供可能な基地局１００を選択する。
【０１３４】
そして、ＣＮ３０は、基地局１００に、発呼元から指定されたスライスを用いるようにスライス設定を行い（ステップＳ４１８）、ページングメッセージを送信する（ステップＳ４２０）。次いで、基地局１００は、設定されたスライスを用いて、ページングメッセージを端末装置２００に送信する（ステップＳ４２２）。
【０１３５】
（３）先行技術との違い
上記説明した本実施形態に係る技術と、非特許文献１に記載の技術との違いについて説明する。
【０１３６】
非特許文献１では、共通スライスを用いてページングメッセージが送信されると考えられる。これに対し、本実施形態では、端末装置２００により指定された、又は発呼元により指定されたスライスを用いてページングメッセージが送信される。そのため、本実施形態では、共通スライスといった特別なスライスは不要である。また、端末装置２００は、例えばＭＴＣ端末として動作する場合、ＭＴＣ専用の物理ネットワークに接続している場合と同様の動作で、ページングメッセージを受信することが可能となる。
【０１３７】
＜＜５．応用例＞＞
本開示に係る技術は、様々な製品へ応用可能である。例えば、制御装置３００は、タワーサーバ、ラックサーバ、又はブレードサーバなどのいずれかの種類のサーバとして実現されてもよい。また、制御装置３００は、サーバに搭載される制御モジュール（例えば、１つのダイで構成される集積回路モジュール、又はブレードサーバのスロットに挿入されるカード若しくはブレード）であってもよい。
【０１３８】
また、例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０１３９】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０１４０】
＜５．１．制御装置に関する応用例＞
図１３は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０１４１】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０１４２】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０１４３】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０１４４】
図１３に示したサーバ７００において、図７を参照して説明した処理部３３０に含まれる１つ以上の構成要素（通知部３３１、取得部３３３及び／又は通信制御部３３５）は、プロセッサ７０１において実装されてもよい。一例として、プロセッサを上記１つ以上の構成要素として機能させるためのプログラム（換言すると、プロセッサに上記１つ以上の構成要素の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記１つ以上の構成要素が実装されてもよい。この場合に、上記モジュールは、プロセッサを上記１つ以上の構成要素として機能させるためのプログラムをメモリ７０２に記憶し、当該プログラムをプロセッサ７０１により実行してもよい。以上のように、上記１つ以上の構成要素を備える装置としてサーバ７００又は上記モジュールが提供されてもよく、プロセッサを上記１つ以上の構成要素として機能させるための上記プログラムが提供されてもよい。また、上記プログラムを記録した読み取り可能な記録媒体が提供されてもよい。
【０１４５】
また、図１３に示したサーバ７００において、例えば、図７を参照して説明した通信部３１０は、ネットワークインタフェース７０４において実装されてもよい。また、記憶部３２０は、メモリ７０２及び／又はストレージ７０３において実装されてもよい。
【０１４６】
＜５．２．基地局に関する応用例＞
（第１の応用例）
図１４は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１４７】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１４に示したように複数のアンテナ８１０を有し、複数のアンテナ８１０は、例えばｅＮＢ８００が使用する複数の周波数帯域にそれぞれ対応してもよい。なお、図１４にはｅＮＢ８００が複数のアンテナ８１０を有する例を示したが、ｅＮＢ８００は単一のアンテナ８１０を有してもよい。
【０１４８】
基地局装置８２０は、コントローラ８２１、メモリ８２２、ネットワークインタフェース８２３及び無線通信インタフェース８２５を備える。
【０１４９】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１５０】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１５１】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１５２】
無線通信インタフェース８２５は、図１４に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１４に示したように複数のＲＦ回路８２７を含み、複数のＲＦ回路８２７は、例えば複数のアンテナ素子にそれぞれ対応してもよい。なお、図１４には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１５３】
図１４に示したｅＮＢ８００において、図５を参照して説明した処理部１５０に含まれる１つ以上の構成要素（通知部１５１、取得部１５３及び／又は通信制御部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１５４】
また、図１４に示したｅＮＢ８００において、図５を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１５５】
（第２の応用例）
図１５は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１５６】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１５に示したように複数のアンテナ８４０を有し、複数のアンテナ８４０は、例えばｅＮＢ８３０が使用する複数の周波数帯域にそれぞれ対応してもよい。なお、図１５にはｅＮＢ８３０が複数のアンテナ８４０を有する例を示したが、ｅＮＢ８３０は単一のアンテナ８４０を有してもよい。
【０１５７】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１４を参照して説明したコントローラ８２１、メモリ８２２及びネットワークインタフェース８２３と同様のものである。
【０１５８】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１４を参照して説明したＢＢプロセッサ８２６と同様のものである。無線通信インタフェース８５５は、図１５に示したように複数のＢＢプロセッサ８５６を含み、複数のＢＢプロセッサ８５６は、例えばｅＮＢ８３０が使用する複数の周波数帯域にそれぞれ対応してもよい。なお、図１５には無線通信インタフェース８５５が複数のＢＢプロセッサ８５６を含む例を示したが、無線通信インタフェース８５５は単一のＢＢプロセッサ８５６を含んでもよい。
【０１５９】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１６０】
また、ＲＲＨ８６０は、接続インタフェース８６１及び無線通信インタフェース８６３を備える。
【０１６１】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１６２】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１５に示したように複数のＲＦ回路８６４を含み、複数のＲＦ回路８６４は、例えば複数のアンテナ素子にそれぞれ対応してもよい。なお、図１５には無線通信インタフェース８６３が複数のＲＦ回路８６４を含む例を示したが、無線通信インタフェース８６３は単一のＲＦ回路８６４を含んでもよい。
【０１６３】
図１５に示したｅＮＢ８３０において、図５を参照して説明した処理部１５０に含まれる１つ以上の構成要素（通知部１５１、取得部１５３及び／又は通信制御部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１６４】
また、図１５に示したｅＮＢ８３０において、例えば、図５を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１６５】
＜５．３．端末装置に関する応用例＞
（第１の応用例）
図１６は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１６６】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１６７】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１６８】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１６に示したように複数のＢＢプロセッサ９１３及び複数のＲＦ回路９１４を含んでもよい。なお、図１６には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１６９】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１７０】
アンテナスイッチ９１５の各々は、無線通信インタフェース９１２に含まれる複数の回路（例えば、異なる無線通信方式のための回路）の間でアンテナ９１６の接続先を切り替える。
【０１７１】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１６に示したように複数のアンテナ９１６を有してもよい。なお、図１６にはスマートフォン９００が複数のアンテナ９１６を有する例を示したが、スマートフォン９００は単一のアンテナ９１６を有してもよい。
【０１７２】
さらに、スマートフォン９００は、無線通信方式ごとにアンテナ９１６を備えてもよい。その場合に、アンテナスイッチ９１５は、スマートフォン９００の構成から省略されてもよい。
【０１７３】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１６に示したスマートフォン９００の各ブロックへ電力を供給する。補助コントローラ９１９は、例えば、スリープモードにおいて、スマートフォン９００の必要最低限の機能を動作させる。
【０１７４】
図１６に示したスマートフォン９００において、図６を参照して説明した処理部２４０に含まれる１つ以上の構成要素（取得部２４１、選択部２４３、通知部２４５及び／又は通信制御部２４７）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１７５】
また、図１６に示したスマートフォン９００において、例えば、図６を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０１７６】
（第２の応用例）
図１７は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１７７】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１７８】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１７９】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１８０】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１７に示したように複数のＢＢプロセッサ９３４及び複数のＲＦ回路９３５を含んでもよい。なお、図１７には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１８１】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１８２】
アンテナスイッチ９３６の各々は、無線通信インタフェース９３３に含まれる複数の回路（例えば、異なる無線通信方式のための回路）の間でアンテナ９３７の接続先を切り替える。
【０１８３】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１７に示したように複数のアンテナ９３７を有してもよい。なお、図１７にはカーナビゲーション装置９２０が複数のアンテナ９３７を有する例を示したが、カーナビゲーション装置９２０は単一のアンテナ９３７を有してもよい。
【０１８４】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１８５】
バッテリー９３８は、図中に破線で部分的に示した給電ラインを介して、図１７に示したカーナビゲーション装置９２０の各ブロックへ電力を供給する。また、バッテリー９３８は、車両側から給電される電力を蓄積する。
【０１８６】
図１７に示したカーナビゲーション装置９２０において、図６を参照して説明した処理部２４０に含まれる１つ以上の構成要素（取得部２４１、選択部２４３、通知部２４５及び／又は通信制御部２４７）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１８７】
また、図１７に示したカーナビゲーション装置９２０において、例えば、図６を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０１８８】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１８９】
＜＜６．まとめ＞＞
以上、図１〜図１７を参照して、本開示の一実施形態について詳細に説明した。
【０１９０】
第１の実施形態によれば、端末装置２００は、互いに異なる通信サービスを提供するひとつ以上のスライスを提供可能な通信システムとの通信を行う際に、通信システムが提供可能なスライスに関する情報を取得して、接続先を選択する。よって、端末装置は、通信システムに接続するよりも前に、接続先候補の通信システムが提供可能なスライスに関する情報を取得することが可能となる。これにより、端末装置は、接続先の通信システムの選択を効率的に行うことが可能となる。
【０１９１】
第２の実施形態によれば、基地局１００は、端末装置２００がアイドルモードである場合に端末装置２００に対応するスライスを用いて端末装置２００にページングメッセージを送信する。これにより、端末装置２００は、事前に設定する等した自身に対応するスライスにおいてページングメッセージを受信することが可能となる。従って、端末装置２００は、例えばＭＴＣ端末として動作する場合、ＭＴＣ専用の物理ネットワークに接続している場合と同様の動作で、ページングメッセージを受信することが可能となる。
【０１９２】
このように、上記説明した各実施形態によれば、端末装置２００は、接続先の基地局１００又はＣＮ３０を選択する際に、事前にスライスの提供能力を知得した上で、接続手続きを行い、所望する通信サービスの提供を受けることが可能である。そして、端末装置２００は、アイドル状態に遷移した場合には、所望する通信サービスにおいてページングメッセージを受信することが可能である。このように、システム１は、ひとつの物理ネットワークで提供される、様々なユースケースに応じた複数の論理ネットワークを、効率的に運用することが可能である。これにより、端末装置２００側のＱｏＳ等を最大限に満足させることが可能となる。
【０１９３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１９４】
例えば、上述した第１の実施形態および第２の実施形態は適宜組み合わせることが可能である。例えば、基地局１００からスライスに関する情報の提供を受けてネットワークに接続した端末装置２００は、その後アイドルモードに移行する際に、ページングメッセージを送信すべきスライスを設定してもよい。
【０１９５】
また、本明細書においてシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０１９６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１９７】
なお、以下のような構成も本開示の技術的範囲に属する。
（１）
互いに異なる通信サービスを提供するひとつ以上の論理ネットワークを提供可能な通信システムとの通信を制御する通信制御部と、
前記通信システムが提供可能な前記論理ネットワークに関する情報を取得する取得部と、
前記論理ネットワークに関する情報に基づいて接続する前記通信システムを選択する選択部と、
を備える端末装置。
（２）
前記論理ネットワークに関する情報は、提供可能な前記論理ネットワーク又は提供不可能な前記論理ネットワークの種類を示す情報を含む、前記（１）に記載の端末装置。
（３）
前記論理ネットワークに関する情報は、前記論理ネットワークの負荷状態を示す情報を含む、前記（１）又は（２）に記載の端末装置。
（４）
前記論理ネットワークに関する情報は、前記論理ネットワークの使用単価を示す情報を含む、前記（１）〜（３）のいずれか一項に記載の端末装置。
（５）
前記論理ネットワークに関する情報は、前記論理ネットワークが提供される確率を示す情報を含む、前記（１）〜（４）のいずれか一項に記載の端末装置。
（６）
前記取得部は、前記論理ネットワークに関する情報のリクエストを前記通信システムに送信する、前記（１）〜（５）のいずれか一項に記載の端末装置。
（７）
提供可能な互いに異なる通信サービスを提供するひとつ以上の論理ネットワークから選択された前記論理ネットワークの提供を受ける端末装置との通信を制御する通信制御部と、
前記端末装置において接続先を選択するために用いられる、提供可能な前記論理ネットワークに関する情報を、前記端末装置に通知する通知部と、
を備える基地局。
（８）
前記通知部は、前記論理ネットワークに関する情報を、システム情報を用いて通知する、前記（７）に記載の基地局。
（９）
前記通知部は、前記端末装置からのリクエストに応じて、前記論理ネットワークに関する情報を通知する、前記（７）に記載の基地局。
（１０）
前記通知部は、前記基地局が接続するコアネットワークが提供可能な論理ネットワークに関する情報を前記端末装置に通知する、前記（７）〜（９）のいずれか一項に記載の基地局。
（１１）
前記通知部は、前記基地局が提供可能な前記論理ネットワークと前記コアネットワークが提供可能な前記論理ネットワークとの組み合わせが可能か否かを示す情報を前記端末装置に通知する、前記（１０）に記載の基地局。
（１２）
提供可能な互いに異なる通信サービスを提供するひとつ以上の論理ネットワークから選択された前記論理ネットワークの提供を受ける端末装置の通信を制御する通信制御部と、
前記端末装置において接続先を選択するために用いられる、提供可能な前記論理ネットワークに関する情報を、基地局を介して前記端末装置に通知する通知部と、
を備える制御装置。
（１３）
提供可能な互いに異なる通信サービスを提供するひとつ以上の論理ネットワークから選択された前記論理ネットワークの提供を受ける端末装置との通信を制御する通信制御部を備え、
前記通信制御部は、前記端末装置がアイドルモードである場合に前記端末装置に対応する前記論理ネットワークを用いて前記端末装置にページングメッセージを送信する、基地局。
（１４）
前記端末装置に対応する前記論理ネットワークは、事前に登録される、前記（１３）に記載の基地局。
（１５）
前記端末装置に対応する前記論理ネットワークは、前記端末装置がＲＲＣ（Radio  Resource  Control）アイドル状態に遷移する際に、前記端末装置により設定される、前記（１３）又は（１４）に記載の基地局。
（１６）
前記端末装置に対応する前記論理ネットワークは、前記端末装置がＲＲＣアイドル状態に遷移する前に接続していた前記論理ネットワークである、前記（１３）〜（１５）のいずれか一項に記載の基地局。
（１７）
前記端末装置に対応する前記論理ネットワークは、発呼元から指定された前記論理ネットワークである、前記（１３）〜（１６）のいずれか一項に記載の基地局。
（１８）
前記基地局は、提供可能な前記論理ネットワークに関する情報を、コアネットワークに通知する通知部をさらに備える、前記（１３）〜（１７）のいずれか一項に記載の基地局。
（１９）
提供可能な互いに異なる通信サービスを提供するひとつ以上の論理ネットワークから選択された前記論理ネットワークの提供を受ける端末装置の通信を制御する通信制御部を備え、
前記通信制御部は、前記端末装置がアイドルモードである場合に、前記端末装置に対応する前記論理ネットワークを提供可能な基地局を、ページングメッセージを送信させる基地局として選択する、制御装置。
（２０）
前記通信制御部は、前記端末装置への着呼に関し、ページングメッセージの送信に用いる前記論理ネットワークを発呼元から指定された場合に、前記着呼を受理可能か否かを判断する、前記（１９）に記載の制御装置。
（２１）
互いに異なる通信サービスを提供するひとつ以上の論理ネットワークを提供可能な通信システムとの通信をプロセッサにより制御することと、
前記通信システムが提供可能な前記論理ネットワークに関する情報を取得することと、
前記論理ネットワークに関する情報に基づいて接続する前記通信システムを選択することと、
を含む方法。
（２２）
コンピュータを、
互いに異なる通信サービスを提供するひとつ以上の論理ネットワークを提供可能な通信システムとの通信を制御する通信制御部と、
前記通信システムが提供可能な前記論理ネットワークに関する情報を取得する取得部と、
前記論理ネットワークに関する情報に基づいて接続する前記通信システムを選択する選択部と、
として機能させるためのプログラムを記録した記録媒体。
（２３）
提供可能な互いに異なる通信サービスを提供するひとつ以上の論理ネットワークから選択された前記論理ネットワークの提供を受ける端末装置との通信をプロセッサにより制御することと、
前記端末装置において接続先を選択するために用いられる、提供可能な前記論理ネットワークに関する情報を、前記端末装置に通知することと、
を含む方法。
（２４）
コンピュータを、
提供可能な互いに異なる通信サービスを提供するひとつ以上の論理ネットワークから選択された前記論理ネットワークの提供を受ける端末装置との通信を制御する通信制御部と、
前記端末装置において接続先を選択するために用いられる、提供可能な前記論理ネットワークに関する情報を、前記端末装置に通知する通知部と、
として機能させるためのプログラムを記録した記録媒体。
（２５）
提供可能な互いに異なる通信サービスを提供するひとつ以上の論理ネットワークから選択された前記論理ネットワークの提供を受ける端末装置の通信をプロセッサにより制御することと、
前記端末装置において接続先を選択するために用いられる、提供可能な前記論理ネットワークに関する情報を、基地局を介して前記端末装置に通知することと、
を含む方法。
（２６）
コンピュータを、
提供可能な互いに異なる通信サービスを提供するひとつ以上の論理ネットワークから選択された前記論理ネットワークの提供を受ける端末装置の通信を制御する通信制御部と、
前記端末装置において接続先を選択するために用いられる、提供可能な前記論理ネットワークに関する情報を、基地局を介して前記端末装置に通知する通知部と、
として機能させるためのプログラムを記録した記録媒体。
（２７）
提供可能な互いに異なる通信サービスを提供するひとつ以上の論理ネットワークから選択された前記論理ネットワークの提供を受ける端末装置との通信をプロセッサにより制御することと、
前記端末装置がアイドルモードである場合に前記端末装置に対応する前記論理ネットワークを用いて前記端末装置にページングメッセージを送信することと、
を含む方法。
（２８）
コンピュータを、
提供可能な互いに異なる通信サービスを提供するひとつ以上の論理ネットワークから選択された前記論理ネットワークの提供を受ける端末装置との通信を制御する通信制御部として機能させ、
前記通信制御部は、前記端末装置がアイドルモードである場合に前記端末装置に対応する前記論理ネットワークを用いて前記端末装置にページングメッセージを送信する、プログラムを記録した記録媒体。
（２９）
提供可能な互いに異なる通信サービスを提供するひとつ以上の論理ネットワークから選択された前記論理ネットワークの提供を受ける端末装置の通信をプロセッサにより制御することと、
前記端末装置がアイドルモードである場合に、前記端末装置に対応する前記論理ネットワークを提供可能な基地局を、ページングメッセージを送信させる基地局として選択することと、
を含む方法。
（３０）
コンピュータを、
提供可能な互いに異なる通信サービスを提供するひとつ以上の論理ネットワークから選択された前記論理ネットワークの提供を受ける端末装置の通信を制御する通信制御部として機能させ、
前記通信制御部は、前記端末装置がアイドルモードである場合に、前記端末装置に対応する前記論理ネットワークを提供可能な基地局を、ページングメッセージを送信させる基地局として選択する、プログラムを記録した記録媒体。
【符号の説明】
【０１９８】
１        システム
１１      セル
２０      コアネットワーク
５０      ＰＤＮ
１００    基地局
１１０    アンテナ部
１２０    無線通信部
１３０    ネットワーク通信部
１４０    記憶部
１５０    処理部
１５１    通知部
１５３    取得部
１５５    通信制御部
２００    端末装置
２１０    アンテナ部
２２０    無線通信部
２３０    記憶部
２４０    処理部
２４１    取得部
２４３    選択部
２４５    通知部
２４７    通信制御部
３００    制御装置
３１０    通信部
３２０    記憶部
３３０    処理部
３３１    通知部
３３３    取得部
３３５    通信制御部
【図１】
2018142818.tif 000011
【図２】
2018142818.tif 000012
【図３】
2018142818.tif 000013
【図４】
2018142818.tif 000014
【図５】
2018142818.tif 000015
【図６】
2018142818.tif 000016
【図７】
2018142818.tif 000017
【図８】
2018142818.tif 000018
【図９】
2018142818.tif 000019
【図１０】
2018142818.tif 000020
【図１１】
2018142818.tif 000021
【図１２】
2018142818.tif 000022
【図１３】
2018142818.tif 000023
【図１４】
2018142818.tif 000024
【図１５】
2018142818.tif 000025
【図１６】
2018142818.tif 000026
【図１７】
2018142818.tif 000027